(57)【要約】【課題】静電容量値に相当する物理量を把握して、容易に可動電極の位置検出を可能とする位置検出装置を提供する。【解決手段】位置検出装置において、可動電極１２０のグランドに対する接地状態あるいは浮遊状態を切替えるスイッチ部１６０と、スイッチ部（１６０）による接地状態あるいは浮遊状態の切替えを制御し、複数の固定電極１４１、１４２のそれぞれに対して、電極間静電容量ＣＨ、ＣＬ、スイッチ部１６０におけるスイッチ静電容量ＣＤｏｎ、ＣＤｏｆｆ、および複数の固定電極１４１、１４２のそれぞれに発生する寄生容量ＣＨｐ、ＣＬｐ、を含む合成静電容量ＣＨｔｏｎ、ＣＨｔｏｆｆ、ＣＬｔｏｎ、ＣＬｔｏｆｆを把握すると共に、接地状態時と浮遊状態時との合成静電容量の差ΔＣＨ、ΔＣＬをもって、それぞれの電極間静電容量ＣＨ、ＣＬに相当する静電容量を算出する制御部１７５とを設ける。【選択図】図２
2015055572.tif 000002
【特許請求の範囲】
【請求項１】
ユーザが操作する操作部（１１０）に連動して可動する可動電極（１２０）と、
前記可動電極（１２０）に対して非接触配置されて、所定部位（１３０）に固定された複数の固定電極（１４１、１４２）とを備え、
前記可動電極（１２０）と、複数の前記固定電極（１４１、１４２）との間に発生する電極間静電容量（ＣＨ、ＣＬ）に基づいて、前記可動電極（１２０）の操作位置を検出する位置検出装置であって、
前記可動電極（１２０）のグランドに対する接地状態あるいは浮遊状態を切替えるスイッチ部（１６０）と、
前記スイッチ部（１６０）による前記接地状態あるいは前記浮遊状態の切替えを制御し、複数の前記固定電極（１４１、１４２）のそれぞれに対して、前記電極間静電容量（ＣＨ、ＣＬ）、前記スイッチ部（１６０）におけるスイッチ静電容量（ＣＤｏｎ、ＣＤｏｆｆ）、および複数の前記固定電極（１４１、１４２）のそれぞれに発生する寄生容量（ＣＨｐ、ＣＬｐ）、を含む合成静電容量（ＣＨｔｏｎ、ＣＨｔｏｆｆ、ＣＬｔｏｎ、ＣＬｔｏｆｆ）を把握すると共に、前記接地状態時と前記浮遊状態時との前記合成静電容量の差（ΔＣＨ、ΔＣＬ）をもって、それぞれの前記電極間静電容量（ＣＨ、ＣＬ）に相当する静電容量を算出する制御部（１７５）とを備えることを特徴とする位置検出装置。
【請求項２】
ユーザが操作する操作部（１１０）に連動して可動する可動電極（１２０）と、
前記可動電極（１２０）に対して非接触配置されて、所定部位（１３０）に固定された複数の固定電極（１４１、１４２）とを備え、
前記可動電極（１２０）と、複数の前記固定電極（１４１、１４２）との間に発生する電極間静電容量（ＣＨ、ＣＬ）に基づいて、前記可動電極（１２０）の操作位置を検出する位置検出装置であって、
前記固定電極（１４１、１４２）とは別に前記可動電極（１２０）に対して非接触配置されて、前記所定部位（１３０）に固定された専用固定電極（１４３）と、
前記専用固定電極（１４３）のグランドに対する接地状態あるいは浮遊状態を切替えるスイッチ部（１６０）と、
前記スイッチ部（１６０）による前記接地状態あるいは前記浮遊状態の切替えを制御し、複数の前記固定電極（１４１、１４２）のそれぞれに対して、前記可動電極（１２０）と前記専用固定電極（１４３）との間に発生する専用電極間静電容量（ＣＳ）、前記電極間静電容量（ＣＨ、ＣＬ）、前記スイッチ部（１６１）におけるスイッチ静電容量（ＣＤｏｎ、ＣＤｏｆｆ）、および複数の前記固定電極（１４１、１４２）のそれぞれに発生する寄生容量（ＣＨｐ、ＣＬｐ）、を含む合成静電容量（ＣＨｔｏｎ、ＣＨｔｏｆｆ、ＣＬｔｏｎ、ＣＬｔｏｆｆ）を把握すると共に、前記接地状態時と前記浮遊状態時との前記合成静電容量の差（ΔＣＨ、ΔＣＬ）をもって、それぞれの前記電極間静電容量（ＣＨ、ＣＬ）に相当する静電容量を算出する制御部（１７５）とを備えることを特徴とする位置検出装置。
【請求項３】
前記スイッチ部（１６０）は、ダイオード（１６１）が使用されたことを特徴とする請求項１または請求項２に記載の位置検出装置。
【請求項４】
複数の前記固定電極（１４１、１４２）は、前記可動電極（１２０）の可動方向に対して直交する方向の寸法の大小関係が、相反するように設定されており、
前記制御部（１７５）は、算出した前記電極間静電容量（ＣＨ、ＣＬ）に相当する静電容量の比をもって、前記可動電極（１２０）の操作位置を検出することを特徴とする請求項１〜請求項３のいずれか１つに記載の位置検出装置。
【請求項５】
前記操作部（１１０）は、押込み操作されるものとなっており、
前記制御部（１７５）は、算出した前記電極間静電容量（ＣＨ、ＣＬ）に相当する静電容量の平均値、あるいは比をもって、前記可動電極（１２０）の操作位置を検出し、前記操作部（１１０）の押込み状態を検出することを特徴とする請求項１〜請求項４のいずれか１つに記載の位置検出装置。
【発明の詳細な説明】
【技術分野】
【０００１】
本発明は、非接触の電極間に発生される静電容量を用いて、操作部の操作位置を検出する位置検出装置に関するものである。
【背景技術】
【０００２】
従来の位置検出装置として、例えば、特許文献１に記載されたものが知られている。特許文献１の位置検出装置は、電極パネルに多数並べられたスイッチ電極と、移動構造体と共に多数のスイッチ電極に対して非接触で移動する誘電体とを備えている。
【０００３】
そして、誘電体の移動に伴って、多数並べられたスイッチ電極の静電容量が変化し、スイッチ電極の発信周波数の変化（低下）が一番大きいスイッチ電極の位置が誘電体の位置であると検出するようになっている。
【先行技術文献】
【特許文献】
【０００４】
【特許文献１】特開２００６−３３７０２３号公報
【発明の概要】
【発明が解決しようとする課題】
【０００５】
上記のような位置検出装置では、誘電体の位置検出のために、多数のスイッチ電極を設ける必要がある。ここで、例えば、２つのスイッチ電極を設けて、誘電体の移動方向に対して、２つのスイッチ電極の静電容量値の大小が相反するように発生されるものを想定すると、２つの静電容量値を比較することで誘電体の位置を検出することが可能となる。
【０００６】
しかしながら、正確な静電容量値を把握するためには、電極面積を大きくする、電極間の距離を短く且つ、精度良く維持する等の制約が生まれる。あるいは、検出器の温度変化等による特性変化の影響も考慮する必要があり、高い精度で静電容量値を検出することが難しい。
【０００７】
本発明の目的は、上記問題に鑑み、静電容量値に相当する物理量を把握して、容易に可動電極の位置検出を可能とする位置検出装置を提供することにある。
【課題を解決するための手段】
【０００８】
本発明は上記目的を達成するために、以下の技術的手段を採用する。
【０００９】
第１の発明では、ユーザが操作する操作部（１１０）に連動して可動する可動電極（１２０）と、
可動電極（１２０）に対して非接触配置されて、所定部位（１３０）に固定された複数の固定電極（１４１、１４２）とを備え、
可動電極（１２０）と、複数の固定電極（１４１、１４２）との間に発生する電極間静電容量（ＣＨ、ＣＬ）に基づいて、可動電極（１２０）の操作位置を検出する位置検出装置であって、
可動電極（１２０）のグランドに対する接地状態あるいは浮遊状態を切替えるスイッチ部（１６０）と、
スイッチ部（１６０）による接地状態あるいは浮遊状態の切替えを制御し、複数の固定電極（１４１、１４２）のそれぞれに対して、電極間静電容量（ＣＨ、ＣＬ）、スイッチ部（１６０）におけるスイッチ静電容量（ＣＤｏｎ、ＣＤｏｆｆ）、および複数の固定電極（１４１、１４２）のそれぞれに発生する寄生容量（ＣＨｐ、ＣＬｐ）、を含む合成静電容量（ＣＨｔｏｎ、ＣＨｔｏｆｆ、ＣＬｔｏｎ、ＣＬｔｏｆｆ）を把握すると共に、接地状態時と浮遊状態時との合成静電容量の差（ΔＣＨ、ΔＣＬ）をもって、それぞれの電極間静電容量（ＣＨ、ＣＬ）に相当する静電容量を算出する制御部（１７５）とを備えることを特徴としている。
【００１０】
この発明によれば、スイッチ部（１６０）による接地状態時における合成静電容量（ＣＨｔｏｎ、ＣＬｔｏｎ）と、スイッチ部（１６０）による浮遊状態時における合成静電容量（ＣＨｔｏｆｆ、ＣＬｔｏｆｆ）との差（ΔＣＨ、ΔＣＬ）をそれぞれ求めると、それぞれの差（ΔＣＨ、ΔＣＬ）は、それぞれの電極間静電容量（ＣＨ、ＣＬ）に相当する静電容量と見なすことができる（詳細後述）。よって、それぞれの差（ΔＣＨ、ΔＣＬ）を用いて、容易に可動電極（１２０）の位置を検出することが可能となる。
【００１１】
第２の発明では、ユーザが操作する操作部（１１０）に連動して可動する可動電極（１２０）と、
可動電極（１２０）に対して非接触配置されて、所定部位（１３０）に固定された複数の固定電極（１４１、１４２）とを備え、
可動電極（１２０）と、複数の固定電極（１４１、１４２）との間に発生する電極間静電容量（ＣＨ、ＣＬ）に基づいて、可動電極（１２０）の操作位置を検出する位置検出装置であって、
固定電極（１４１、１４２）とは別に可動電極（１２０）に対して非接触配置されて、所定部位（１３０）に固定された専用固定電極（１４３）と、
専用固定電極（１４３）のグランドに対する接地状態あるいは浮遊状態を切替えるスイッチ部（１６０）と、
スイッチ部（１６０）による接地状態あるいは浮遊状態の切替えを制御し、複数の固定電極（１４１、１４２）のそれぞれに対して、可動電極（１２０）と専用固定電極（１４３）との間に発生する専用電極間静電容量（ＣＳ）、電極間静電容量（ＣＨ、ＣＬ）、スイッチ部（１６１）におけるスイッチ静電容量（ＣＤｏｎ、ＣＤｏｆｆ）、および複数の固定電極（１４１、１４２）のそれぞれに発生する寄生容量（ＣＨｐ、ＣＬｐ）、を含む合成静電容量（ＣＨｔｏｎ、ＣＨｔｏｆｆ、ＣＬｔｏｎ、ＣＬｔｏｆｆ）を把握すると共に、接地状態時と浮遊状態時との合成静電容量の差（ΔＣＨ、ΔＣＬ）をもって、それぞれの電極間静電容量（ＣＨ、ＣＬ）に相当する静電容量を算出する制御部（１７５）とを備えることを特徴としている。
【００１２】
この発明によれば、それぞれの差（ΔＣＨ、ΔＣＬ）は、専用電極間静電容量（ＣＳ）と電極間静電容量（ＣＨ、ＣＬ）とによって得られるものと見なすことができる（詳細後述）。よって、専用電極間静電容量（ＣＳ）を既知の値として、それぞれの差（ΔＣＨ、ΔＣＬ）と専用電極間静電容量（ＣＳ）とから、電極間静電容量（ＣＨ、ＣＬ）を求めることができる。よって、容易に可動電極（１２０）の位置を検出することが可能となる。
【００１３】
加えて、可動電極（１２０）は、専用固定電極（１４３）には接続されない形とすることができるので、所定部位（１３０）における固定電極（１４１、１４２）、と専用固定電極（１４３）、およびスイッチ部（１６０）を密閉構造内に集約することが可能となる。
【００１４】
尚、上記各手段の括弧内の符号は、後述する実施形態記載の具体的手段との対応関係を示すものである。
【図面の簡単な説明】
【００１５】
【図１】空調操作パネルを示す正面図である。
【図２】第１実施形態における位置検出装置を示す概略図である。
【図３】第１実施形態における位置検出装置を示す断面図である。
【図４】第１実施形態における検出器を示す回路図である。
【図５】可動電極の位置に対する静電容量値を示すグラフである。
【図６】第２実施形態における位置検出装置を示す概略図である。
【図７】第２実施形態における位置検出装置を示す断面図である。
【図８】その他の実施形態１における固定電極を示す正面図である。
【図９】その他の実施形態２における固定電極を示す正面図である。
【図１０】第３実施形態におけるスイッチ部を示す回路図である。
【図１１】第４実施形態におけるスイッチ部を示す回路図である。
【発明を実施するための形態】
【００１６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１７】
（第１実施形態）
第１実施形態の位置検出装置について図１〜図５を用いて説明する。本実施形態の位置検出装置は、車両の意匠プレート５に装着される車両空調装置用の操作パネル（以下、操作パネル）１０における風量設定スイッチ１１に適用されたものとなっている。意匠プレート５は、例えば、車両のインストルメントパネルの車両左右方向の中央で、ユーザと対向する部位、あるいは、センターコンソールからインストルメントパネルに接続される部位等である。
【００１８】
操作パネル１０は、図１に示すように、空調装置における各種作動条件をユーザが設定するための各種スイッチ１１〜１６と、その作動状態をユーザに表示する表示部１７とを備えている。
【００１９】
各種スイッチ１１〜１６は、例えば、空調の風量を設定するための風量設定スイッチ１１、空調の温度を設定するための温度設定スイッチ１２、吹出しモードを設定するための吹出しモード設定スイッチ１３、車室内の内気にて空調を行う内気モードに設定するための内気モード設定スイッチ１４、フロントウインドウの曇りを除去するためのフロントデフロスタスイッチ１５、およびリアウインドウの曇りを除去するためのリアデフロスタスイッチ１６等である。
【００２０】
また、表示部１７は、例えば、液晶ディスプレイによって形成されており、上記の各種スイッチ１１〜１６の操作に基づく作動状態を表示するようになっている。加えて、表示部１７は、現在時刻表示、および外気温度表示等も可能となっている。
【００２１】
位置検出装置としての風量設定スイッチ１１は、図２〜図４に示すように、操作部１１０、可動電極１２０、複数の固定電極１４１、１４２、接続線１５０、スイッチ部１６０、および静電容量検出器１７０等を備えている。
【００２２】
操作部１１０は、ユーザが風量設定値を変更するために指操作する入力部となっている。操作部１１０は、指操作するためのつまみ１１１と、つまみ１１１が固定される平板部１１２とを有している。平板部１１２におけるつまみ１１１とは反対側の面は、意匠プレート５の外側（インストルメントパネルの外側）に対向するように配置されている。意匠プレート５と平板部１１２の互いに対向する面は平行になっている。操作部１１０は、図１中の左右方向に移動可能に設けられており、左側から右側に移動されると、風量を増加させるための入力を行い、右側から左側に移動されると、風量を減少させるための入力を行う入力部として機能するようになっている。
【００２３】
可動電極１２０は、操作部１１０と連動して可動する電極であり、平板部１１２の意匠プレート５側に固定されている。
【００２４】
意匠プレート５の内側（インストルメントパネルの内側）には、平板状のプリント基板１３０が設けられている。プリント基板１３０は、本発明の所定部位に対応する。意匠プレート５とプリント基板１３０は、互いに対向する面が平行になるように配置されている。
【００２５】
複数の固定電極１４１、１４２は、可動電極１２０に対して非接触状態となるように対向配置される電極である。各固定電極１４１、１４２は、プリント基板１３０における意匠プレート５側の面に固定されている。各固定電極１４１、１４２は、細長の楔状に形成されて、図１、図２、図４において、細長となる長手方向が共に左右方向を向くように配置されている。各固定電極１４１、１４２の楔状の先端部は、互いに逆側を向くように配置されている。
【００２６】
固定電極１４１は、操作部１１０が移動する左右方向に対して交差する方向（以下、幅方向。図１、図２、図４において上下方向となる）の寸法が、左側から右側に向けて順次大きくなるように形成されている。つまり、固定電極１４１の左端の幅方向寸法は最小（０）であり、右端の幅方向寸法は最大となっている。また、固定電極１４２は、固定電極１４１とは逆に、幅方向の寸法が、左側から右側に向けて順次小さくなるように形成されている。つまり、固定電極１４２の左端の幅方向寸法は最大であり、右端の幅方向寸法は最小（０）となっている。両固定電極１４１、１４２の幅方向の最大値は、同一となっている。
【００２７】
接続線１５０は、可動電極１２０とグランドとを接続する導通線である。意匠プレート５には、例えば、可動電極１２０の移動方向に沿って穿設されたスリット孔が設けられている。接続線１５０のグランド側とは反対側の端部は、スリット孔に挿通されて、可動電極１２０に接続されている。よって、接続線１５０は、可動電極１２０と共に左右方向に移動可能となっている。
【００２８】
スイッチ部１６０は、可動電極１２０のグランドに対する接地状態あるいは浮遊状態を切替える切替え部であり、接続線１５０の途中に設けられると共に、プリント基板１３０に固定されている。
【００２９】
スイッチ部１６０は、例えば２つ（Ｐ型、Ｎ型）の半導体素子から成るダイオード１６１と、後述する静電容量検出器１７０との切り離しを行う抵抗１６２とを有している。ダイオード１６１は、抵抗１６２を介して、逆方向電圧がかけられると電流が流れない状態となって、ダイオード１６１に発生するスイッチ静電容量が小さくなり（ＣＤｏｆｆとなる）、また、逆方向電圧を解除すると電流が流れる状態となって、ダイオード１６１に発生するスイッチ静電容量が大きくなる（ＣＤｏｎとなる）という電気的特性を有している。
【００３０】
ダイオード１６１に電流が流れる状態では、スイッチ部１６０は、可動電極１２０をグランドに対して接地状態とし、逆に、ダイオード１６１に電流が流れない状態では、スイッチ部１６０は、可動電極１２０をグランドに対して浮遊状態とする。以下、スイッチ部１６０（ダイオード１６１）による可動電極１２０の接地状態の場合を、ダイオード１６１におけるオン状態と対応付けし、逆に、スイッチ部１６０（ダイオード１６１）による可動電極１２０の浮遊状態の場合を、ダイオード１６１におけるオフ状態と対応付けすることにする。
【００３１】
静電容量検出器１７０は、各固定電極１４１、１４２に関連する静電容量値（後述する合成静電容量）を把握すると共に、得られた静電容量値を用いて、各固定電極１４１、１４２に対する可動電極１２０（操作部１１０）の位置（操作位置）を検出する機器となっている。静電容量検出器１７０は、各スイッチ１〜４、コンデンサ１７１、抵抗１７２、増幅器１７３、アナログデジタル変換回路（以下、変換回路）１７４、制御部１７５、および電源部１７６等が図４に示すように接続されて形成されている。
【００３２】
スイッチ１は、電源部１７６から各固定電極１４１、１４２へ電力供給する際の切替えを行うスイッチとなっている。スイッチ２は、各固定電極１４１、１４２とコンデンサ１７１との間を開閉するスイッチとなっている。スイッチ３は、並列配置されるコンデンサ１７１および抵抗１７２において、抵抗１７２側を開閉するスイッチとなっている。更に、スイッチ４は、静電容量検出器１７０と各固定電極１４１、１４２との接続切替えを行うスイッチとなっている。
【００３３】
静電容量検出器１７０によって把握される上記静電容量値というのは、ここでは、固定電極１４１に関する合成静電容量ＣＨｔと、固定電極１４２に関する合成静電容量ＣＬｔとなっている。
【００３４】
合成静電容量ＣＨｔは、可動電極１２０と固定電極１４１との間の電極間静電容量ＣＨと、ダイオード１６１に発生するスイッチ静電容量ＣＤと、固定電極１４１に関連して発生する寄生容量ＣＨｐとを含む静電容量である。
【００３５】
電極間静電容量ＣＨは、可動電極１２０が左右に移動されると、相手側の固定電極１４１との対向面積比が変わることによって、順次変化する静電容量となっている。具体的には、図５に示すように、可動電極１２０が図２中の左側から右側に移動されると（図３中の左側から右側に移動されると）、対向面積比が大きくなっていくことから、電極間静電容量ＣＨは増加するようになっている。尚、可動電極１２０が押込まれて使用される場合であると、可動電極１２０と固定電極１４１との距離が小さくなって、電極間静電容量ＣＨ’は、電極間静電容量ＣＨよりも大きくなる。
【００３６】
また、スイッチ静電容量ＣＤは、ダイオード１６１においてオン状態となる場合と、オフ状態となる場合で変化する静電容量となっている。オン状態におけるスイッチ静電容量はＣＤｏｎであり、オフ状態におけるスイッチ静電容量はＣＤｏｆｆである（ＣＤｏｆｆ≪ＣＤｏｎ）。ダイオード１６１のスイッチ静電容量ＣＤｏｎ、ＣＤｏｆｆは、使用するダイオード１６１に基づく既知の固定値として把握されている。そして、ダイオード１６１がオン状態のときの合成静電容量（ＣＨｔ）をＣＨｔｏｎと表示し、また、ダイオード１６１がオフ状態のときの合成静電容量（ＣＨｔ）をＣＨｔｏｆｆと表示することとする。
【００３７】
また、寄生容量ＣＨｐは、固定電極１４１に発生する静電容量であり、図５に示すように、電極間静電容量ＣＨに対してある程度の大きさを持っており、可動電極１２０が移動しても変化しない一定の大きさを有している。
【００３８】
同様に、合成静電容量ＣＬｔは、可動電極１２０と固定電極１４２との間の電極間静電容量ＣＬと、ダイオード１６１に発生するスイッチ静電容量ＣＤと、固定電極１４２に関連して発生する寄生容量ＣＬｐとを含む静電容量である。
【００３９】
電極間静電容量ＣＬは、可動電極１２０が左右に移動されると、相手側の固定電極１４２との対向面積比が変わることによって、順次変化する静電容量となっている。具体的には、図５に示すように、可動電極１２０が図２中の左側から右側に移動されると（図３中の左側から右側に移動されると）、対向面積比が小さくなっていくことから、電極間静電容量ＣＬは減少するようになっている。尚、可動電極１２０が押込まれて使用される場合であると、可動電極１２０と固定電極１４２との距離が小さくなって、電極間静電容量ＣＬ’は、電極間静電容量ＣＬよりも大きくなる。
【００４０】
また、スイッチ静電容量ＣＤは、合成静電容量ＣＨｔの場合と同様に、ダイオード１６１においてオン状態となる場合と、オフ状態となる場合で変化する静電容量となっている。オン状態におけるスイッチ静電容量はＣＤｏｎであり、オフ状態におけるスイッチ静電容量はＣＤｏｆｆである（ＣＤｏｆｆ≪ＣＤｏｎ）。そして、ダイオード１６１がオン状態のときの合成静電容量（ＣＬｔ）をＣＬｔｏｎと表示し、また、ダイオード１６１がオフ状態のときの合成静電容量（ＣＬｔ）をＣＬｔｏｆｆと表示することとする。
【００４１】
また、寄生容量ＣＬｐは、固定電極１４２に発生する静電容量であり、図５に示すように、電極間静電容量ＣＬに対してある程度の大きさを持っており、可動電極１２０が移動しても変化しない一定の大きさを有している。
【００４２】
制御部１７５は、各スイッチ１〜４のオンオフを制御することによって、上記合成静電容量ＣＨｔ、ＣＬｔを把握するようになっている。具体的には、制御部１７５は、合成静電容量ＣＨｔを把握する際に、スイッチ４を固定電極１４１側に接続し、スイッチ３を非接続状態としておき、スイッチ１のオンとスイッチ２のオフ、およびスイッチ１のオフとスイッチ２のオンを交互に繰り返し、コンデンサ１７１に電荷を溜める。そして、スイッチ３を接続状態とすることで、コンデンサ１７１に溜められた電荷を増幅器１７３、変換回路１７４側に流すことで、合成静電容量ＣＨｔ（スイッチ３を接続した回数）を把握するようになっている。
【００４３】
制御部１７５は、上記において、ダイオード１６１をオン状態にする場合と、オフ状態にする場合とで切替えることにより、合成静電容量ＣＨｔｏｎと、合成静電容量ＣＨｔｏｆｆとを把握することができるようになっている。
【００４４】
一方、制御部１７５は、合成静電容量ＣＬｔを把握する際には、スイッチ４を固定電極１４２側に接続して、上記と同様のスイッチ制御することで、合成静電容量ＣＬｔを把握するようになっている。また、制御部１７５は、合成静電容量ＣＬｔの把握において、ダイオード１６１をオン状態にする場合と、オフ状態にする場合とで切替えることにより、合成静電容量ＣＬｔｏｎと、合成静電容量ＣＬｔｏｆｆとを把握することができるようになっている。
【００４５】
ここで、図５に示すグラフより、一般的に、可動電極１２０の左右方向の位置は、下記の数式１より算出することが可能である。
（数１）
可動電極位置（左右方向）  ∝  ＣＨ／（ＣＨ＋ＣＬ）  。
【００４６】
尚、操作部１１０（可動電極１２０）が押込み方向にも操作されるものである場合は、可動電極１２０の押込み方向の位置は、下記の数式２より算出することが可能である。
（数２）
可動電極位置（押込み方向）  ∝  ＣＨ、ＣＬの平均  。
【００４７】
一般的には、電極間静電容量ＣＨと、電極間静電容量ＣＬとを把握して、これら電極間静電容量ＣＨ、ＣＬを用いて、数式１（あるいは数式２）から可動電極１２０の位置を算出することが可能となる。しかしながら、各電極間静電容量ＣＨ、ＣＬを正確に把握するためには、冒頭で述べたように、電極面積を大きくする、電極間の距離を短く且つ、精度良く維持する等の必要がある。あるいは、検出器の温度変化等による特性変化の影響も考慮する必要があり、高い精度で静電容量値を検出することが難しいものとなる。
【００４８】
そこで、本実施形態では、以下のようにして、電極間静電容量ＣＨ、および電極間静電容量ＣＬに相当する静電容量（差ΔＣＨ、差ΔＣＬ）を算出して、数式１（あるいは数式２）より、可動電極１２０の位置を得るようにしている。
【００４９】
即ち、本実施形態では、固定電極１４１において、ダイオード１６１がオン状態のときの合成静電容量ＣＨｔｏｎと、ダイオード１６１がオフ状態のときの合成静電容量ＣＨｔｏｆｆとの差ΔＣＨを用いて、電極間静電容量ＣＨに相当する静電容量を得るようにしている。
【００５０】
同様に、固定電極１４２において、ダイオード１６１がオン状態のときの合成静電容量ＣＬｔｏｎと、ダイオード１６１がオフ状態のときの合成静電容量ＣＬｔｏｆｆとの差ΔＣＬを用いて、電極間静電容量ＣＬに相当する静電容量を得るようにしている。
【００５１】
差ΔＣＨが電極間静電容量ＣＨに相当し、また、差ΔＣＬが電極間静電容量ＣＬに相当する理由を以下に述べる。
【００５２】
１）差ΔＣＨについて
固定電極１４１における合成静電容量ＣＨｔｏｎは、直列となる電極間静電容量ＣＨとスイッチ静電容量ＣＤｏｎとの和に、並列となる寄生容量ＣＨｐを加えたものとして、以下のように算出することができる。
ＣＨｔｏｎ＝ＣＨ・ＣＤｏｎ／（ＣＨ＋ＣＤｏｎ）＋ＣＨｐ  。
【００５３】
また、固定電極１４１における合成静電容量ＣＨｔｏｆｆは、直列となる可動電極１２０とダイオード１６１における電極間静電容量ＣＨとスイッチ静電容量ＣＤｏｆｆとの和に、並列となる寄生容量ＣＨｐを加えたものとして、以下のように算出することができる。
ＣＨｔｏｆｆ＝ＣＨ・ＣＤｏｆｆ／（ＣＨ＋ＣＤｏｆｆ）＋ＣＨｐ  。
【００５４】
よって、
（数３）
差ΔＣＨ＝ＣＨｔｏｎ−ＣＨｔｏｆｆ
＝｛ＣＨ・ＣＤｏｎ／（ＣＨ＋ＣＤｏｎ）＋ＣＨｐ｝
−｛ＣＨ・ＣＤｏｆｆ／（ＣＨ＋ＣＤｏｆｆ）＋ＣＨｐ｝
＝ＣＨ・ＣＤｏｎ／（ＣＨ＋ＣＤｏｎ）−ＣＨ・ＣＤｏｆｆ／（ＣＨ＋ＣＤｏｆｆ）。
【００５５】
ここで、ＣＤｏｆｆ≪ＣＨ≪ＣＤｏｎとすると、
差ΔＣＨ＝ＣＨ・ＣＤｏｎ／ＣＤｏｎ＝ＣＨ
となり、電極間静電容量ＣＨは、固定電極１４１において、ダイオード１６１がオン状態のときの合成静電容量ＣＨｔｏｎと、ダイオード１６１がオフ状態のときの合成静電容量ＣＨｔｏｆｆとの差ΔＣＨに相当するものと言えるのである。
【００５６】
２）差ΔＣＬについて
固定電極１４２における合成静電容量ＣＬｔｏｎは、直列となる電極間静電容量ＣＬとスイッチ静電容量ＣＤｏｎとの和に、並列となる寄生容量ＣＬｐを加えたものとして、以下のように算出することができる。
ＣＬｔｏｎ＝ＣＬ・ＣＤｏｎ／（ＣＬ＋ＣＤｏｎ）＋ＣＬｐ  。
【００５７】
また、固定電極１４２における合成静電容量ＣＬｔｏｆｆは、直列となる可動電極１２０とダイオード１６１における電極間静電容量ＣＬとスイッチ静電容量ＣＤｏｆｆとの和に、並列となる寄生容量ＣＬｐを加えたものとして、以下のように算出することができる。
ＣＬｔｏｆｆ＝ＣＬ・ＣＤｏｆｆ／（ＣＬ＋ＣＤｏｆｆ）＋ＣＬｐ  。
【００５８】
よって、
（数４）
差ΔＣＬ＝ＣＬｔｏｎ−ＣＬｔｏｆｆ
＝｛ＣＬ・ＣＤｏｎ／（ＣＬ＋ＣＤｏｎ）＋ＣＬｐ｝
−｛ＣＬ・ＣＤｏｆｆ／（ＣＬ＋ＣＤｏｆｆ）＋ＣＬｐ｝
＝ＣＬ・ＣＤｏｎ／（ＣＬ＋ＣＤｏｎ）−ＣＬ・ＣＤｏｆｆ／（ＣＬ＋ＣＤｏｆｆ）。
【００５９】
ここで、ＣＤｏｆｆ≪ＣＬ≪ＣＤｏｎとすると、
差ΔＣＨ＝ＣＬ・ＣＤｏｎ／ＣＤｏｎ＝ＣＬ
となり、電極間静電容量ＣＬは、固定電極１４２において、ダイオード１６１がオン状態のときの合成静電容量ＣＬｔｏｎと、ダイオード１６１がオフ状態のときの合成静電容量ＣＬｔｏｆｆとの差ΔＣＬに相当するものと言えるのである。
【００６０】
以上より、数式１を用いて、
可動電極位置（左右方向）＝ＣＨ／（ＣＨ＋ＣＬ）＝ΔＣＨ／（ΔＣＨ＋ΔＣＬ）
として得ることが可能となる。
【００６１】
尚、数式２を用いて、
可動電極位置（押込み方向）＝ＣＨ、ＣＬの平均＝ΔＣＨ、ΔＣＬの平均
として得ることが可能となる。
【００６２】
このように、本実施形態では、可動電極１２０に対してスイッチ部１６０（ダイオード１６１）を設けている。そして、スイッチ部１６０のオン状態において静電容量検出器１７０によって把握される合成静電容量ＣＨｔｏｎとオフ状態において静電容量検出器１７０によって把握される合成静電容量ＣＨｔｏｆｆの差ΔＣＨ、およびスイッチ部１６０のオン状態において静電容量検出器１７０によって把握される合成静電容量ＣＬｔｏｎとオフ状態において静電容量検出器１７０によって把握される合成静電容量ＣＬｔｏｆｆの差ΔＣＬをそれぞれ求めている。そして、それぞれの差ΔＣＨ、ΔＣＬは、それぞれの電極間静電容量ＣＨ、ＣＬに相当する静電容量と見なすことができる。よって、それぞれの差ΔＣＨ、ΔＣＬを用いて、容易に可動電極１２０の位置を検出することが可能となる。
【００６３】
つまり、電極間静電容量ＣＨ、ＣＬを用いて可動電極１２０の位置を検出する場合に比べて、電極面積を大きくする、電極間の距離を短く且つ、精度良く維持する等の条件を不要とし、容易にそれぞれの差ΔＣＨ、ΔＣＬを把握することができ、よって、容易に可動電極１２０の位置を検出することが可能となるのである。
【００６４】
このような、各電極１２０、１４１、１４２を用いた位置検出装置１１では、互いの電極が非接触設定となるので、接触不良等を起こす心配がなく、信頼性の高い位置検出装置とすることができる。
【００６５】
また、本実施形態では、スイッチ部１６０として、ダイオード１６１を使用するようにしている。ダイオード１６１は、逆方向電圧をかけない場合とかけた場合とで、可動電極１２０のグランドに対する接地状態あるいは浮遊状態を変更可能とする電気特性を持っているので、複雑なスイッチ構造を設けることなく、スイッチ部１６０を容易に構成することが可能となる。
【００６６】
また、本実施形態では、複数の固定電極１４１、１４２は、可動電極１２０の可動方向に対して直交する方向の寸法の大小関係が、相反するように設定されており、制御部１７５は、算出した電極間静電容量ＣＨ、ＣＬに相当する静電容量（差ΔＣＨ、ΔＣＬ）の比をもって、可動電極１２０の操作位置を検出するようにしている。これにより、可動電極１２０の可動方向の位置を明確に検出することが可能となる。
【００６７】
また、操作部１１０が押込み操作されるものである場合は、算出した差ΔＣＨ、ΔＣ
Ｌの平均値をもって、可動電極１２０の位置（押込み位置）を検出することが可能となる。
【００６８】
数式を簡単にするため、ＣＤｏｆｆ≪ＣＨ≪ＣＤｏｎ、ＣＤｏｆｆ≪ＣＬ≪ＣＤｏｎとしたが、ＣＤｏｆｆ、ＣＤｏｎは既知であるため、ＣＤｏｆｆ、ＣＤｏｎの値を数式３、数式４にそれぞれ代入することで、ΔＣＬからＣＬ、ΔＣＨからＣＨをより正確に求めることができる。
【００６９】
尚、上記の操作部１１０に加えて、静電式のタッチスイッチ等を併用する場合には、同一の静電容量検出器１７０を流用することも可能となる。
【００７０】
（第２実施形態）
第２実施形態の位置検出装置としての風量設定スイッチ１１Ａを図６、図７に示す。第２実施形態は、上記第１実施形態に対して、可動電極１２０に対して、各固定電極１４１、１４２とは別に専用固定電極１４３を設けたものとしている。加えて、操作部１１０（可動電極１２０）は、図６中の左右方向に加えて、図７中の上下方向（押込み方向）にも操作されるものとなっている。
【００７１】
専用固定電極１４３は、細長い帯状に形成された電極となっており、固定電極１４１、１４２の長手方向に沿うように、プリント基板１３０に固定されている。専用固定電極１４３は、固定電極１４１、１４２と同様に、可動電極１２０とは非接触配置されている。
【００７２】
専用固定電極１４３の幅方向の寸法は、可動電極１２０の移動する方向にわたって一定となるように設定されており、可動電極１２０の位置が左右方向のどこにあっても、可動電極１２０と専用固定電極１４３との間に発生する電極間静電容量ＣＳは一定となっている。電極間静電容量ＣＳは、押込み操作されない場合は、既知の固定値として把握されている。電極間静電容量ＣＳは、本発明の専用電極間静電容量に対応する。
【００７３】
そして、接続線１５０は、専用固定電極１４３とグランドとを接続するように設けられており、この接続線１５０にスイッチ部１６０としてのダイオード１６１が設けられている。よって、上記第１実施形態のように、接続線１５０が意匠プレート５を貫通するようにして、取り回しされることがなく、接続線１５０は、プリント基板１３０に集約されている。尚、ダイオード１６１のスイッチ静電容量ＣＤｏｎ、ＣＤｏｆｆは、上記第１実施形態と同様に、使用するダイオード１６１に基づく既知の固定値として把握されている。
【００７４】
本実施形態においては、可動電極１２０が左右方向にスライドされる場合、あるいは押込みされる場合に、それぞれ、以下のようにして、可動電極１２０の位置が検出されるようになっている。
【００７５】
１）可動電極が左右にスライドされる場合
ここでは、上記第１実施形態と同様に、差ΔＣＨと差ΔＣＬとを用いて可動電極１２０の左右方向の位置検出を可能としている。その理由を以下説明する。
【００７６】
まず、固定電極１４１における合成静電容量ＣＨｔｏｎは、直列となる電極間静電容量ＣＨと、電極間静電容量ＣＳと、スイッチ静電容量ＣＤｏｎとの和に、並列となる寄生容量ＣＨｐを加えたものとして、以下のように算出することができる。
ＣＨｔｏｎ
＝ＣＨ・ＣＳ・ＣＤｏｎ／（ＣＨ・ＣＤｏｎ＋ＣＳ・ＣＤｏｎ＋ＣＨ・ＣＳ）
＋ＣＨｐ  。
【００７７】
また、固定電極１４１における合成静電容量ＣＨｔｏｆｆは、直列となる電極間静電容量ＣＨと、電極間静電容量ＣＳと、スイッチ静電容量ＣＤｏｆｆとの和に、並列となる寄生容量ＣＬｐを加えたものとして、以下のように算出することができる。
ＣＨｔｏｆｆ
＝ＣＨ・ＣＳ・ＣＤｏｆｆ／（ＣＨ・ＣＤｏｆｆ＋ＣＳ・ＣＤｏｆｆ＋ＣＨ・ＣＳ）
＋ＣＨｐ  。
【００７８】
よって、
（数５）
差ΔＣＨ＝ＣＨｔｏｎ−ＣＨｔｏｆｆ
＝｛ＣＨ・ＣＳ・ＣＤｏｎ／（ＣＨ・ＣＤｏｎ＋ＣＳ・ＣＤｏｎ＋ＣＨ・ＣＳ）
＋ＣＨｐ｝
−｛ＣＨ・ＣＳ・ＣＤｏｆｆ／（ＣＨ・ＣＤｏｆｆ＋ＣＳ・ＣＤｏｆｆ＋ＣＨ・ＣＳ）
＋ＣＨｐ｝
＝ＣＨ・ＣＳ・ＣＤｏｎ／（ＣＨ・ＣＤｏｎ＋ＣＳ・ＣＤｏｎ＋ＣＨ・ＣＳ）
−ＣＨ・ＣＳ・ＣＤｏｆｆ／（ＣＨ・ＣＤｏｆｆ＋ＣＳ・ＣＤｏｆｆ＋ＣＨ・ＣＳ）。
【００７９】
ここで、ＣＤｏｆｆ≪ＣＨ、ＣＳ≪ＣＤｏｎとすると、
差ΔＣＨ＝ＣＨ・ＣＳ・ＣＤｏｎ／（ＣＨ・ＣＤｏｎ＋ＣＳ・ＣＤｏｎ）
となり、実際に静電容量検出器１７０によって把握した差ΔＣＨと、既知であるＣＳ、ＣＤｏｎとからＣＨを求めることができる。
【００８０】
尚、スイッチ静電容量ＣＤｏｎが、既知であることから、
差ΔＣＨ＝ＣＨ・ＣＳ／（ＣＨ＋ＣＳ）
と考えることもでき、この式からＣＨを求めることもできる。
【００８１】
次に、固定電極１４２における合成静電容量ＣＬｔｏｎは、直列となる電極間静電容量ＣＬと、電極間静電容量ＣＳと、スイッチ静電容量ＣＤｏｎとの和に、並列となる寄生容量ＣＬｐを加えたものとして、以下のように算出することができる。
ＣＬｔｏｎ
＝ＣＬ・ＣＳ・ＣＤｏｎ／（ＣＬ・ＣＤｏｎ＋ＣＳ・ＣＤｏｎ＋ＣＬ・ＣＳ）
＋ＣＬｐ  。
【００８２】
また、固定電極１４２における合成静電容量ＣＬｔｏｆｆは、直列となる電極間静電容量ＣＬと、電極間静電容量ＣＳと、スイッチ静電容量ＣＤｏｆｆとの和に、並列となる寄生容量ＣＬｐを加えたものとして、以下のように算出することができる。
ＣＬｔｏｆｆ
＝ＣＬ・ＣＳ・ＣＤｏｆｆ／（ＣＬ・ＣＤｏｆｆ＋ＣＳ・ＣＤｏｆｆ＋ＣＬ・ＣＳ）
＋ＣＬｐ  。
【００８３】
よって、
（数６）
差ΔＣＬ＝ＣＬｔｏｎ−ＣＬｔｏｆｆ
＝｛ＣＬ・ＣＳ・ＣＤｏｎ／（ＣＬ・ＣＤｏｎ＋ＣＳ・ＣＤｏｎ＋ＣＬ・ＣＳ）
＋ＣＬｐ｝
−｛ＣＬ・ＣＳ・ＣＤｏｆｆ／（ＣＬ・ＣＤｏｆｆ＋ＣＳ・ＣＤｏｆｆ＋ＣＬ・ＣＳ）
＋ＣＬｐ｝
＝ＣＬ・ＣＳ・ＣＤｏｎ／（ＣＬ・ＣＤｏｎ＋ＣＳ・ＣＤｏｎ＋ＣＬ・ＣＳ）
−ＣＬ・ＣＳ・ＣＤｏｆｆ／（ＣＬ・ＣＤｏｆｆ＋ＣＳ・ＣＤｏｆｆ＋ＣＬ・ＣＳ）。
【００８４】
ここで、ＣＤｏｆｆ≪ＣＬ、ＣＳ≪ＣＤｏｎとすると、
差ΔＣＬ＝ＣＬ・ＣＳ・ＣＤｏｎ／（ＣＬ・ＣＤｏｎ＋ＣＳ・ＣＤｏｎ）
となり、実際に静電容量検出器１７０によって把握した差ΔＣＬと、既知であるＣＳ、ＣＤｏｎとからＣＬを求めることができる。
【００８５】
尚、スイッチ静電容量ＣＤｏｎが、既知であることから、
差ΔＣＬ＝ＣＬ・ＣＳ／（ＣＬ＋ＣＳ）
と考えることもでき、この式からＣＬを求めることもできる。
【００８６】
数式を簡単にするため、ＣＤｏｆｆ≪ＣＨ≪ＣＤｏｎ、ＣＤｏｆｆ≪ＣＬ≪ＣＤｏｎとしたが、ＣＤｏｆｆ、ＣＤｏｎは既知であるため、ＣＤｏｆｆ、ＣＤｏｎの値を数式５、数式６にそれぞれ代入することで、ΔＣＬからＣＬ、ΔＣＨからＣＨをより正確に求めることができる。
【００８７】
以上より、数式１を用いて、可動電極位置を得ることが可能となる。
【００８８】
２）可動電極が押込みされる場合
可動電極１２０の押込み方向の基準位置における電極間静電容量ＣＨをＣＨ０、電極間静電容量ＣＬをＣＬ０、電極間静電容量ＣＳをＣＳ０とする。また、可動電極１２０の基準位置から各固定電極１４１〜１４３の距離をｄとし、距離ｄによる各電極間静電容量ＣＨ、ＣＬ、ＣＳの変化を表す関数をｆ（ｄ）とすると、
ＣＨ＝ｆ（ｄ）・ＣＨ０
ＣＬ＝ｆ（ｄ）・ＣＬ０
ＣＳ＝ｆ（ｄ）・ＣＳ０
と表すことができる。
【００８９】
基準位置における電極間静電容量ＣＳ０は、既知であり、また、
ＣＨ０＋ＣＬ０＝既知のＣＨＬ０
として表すことができる。
【００９０】
よって、
（数７）
差ΔＣＨ＝ＣＨ・ＣＳ／（ＣＨ＋ＣＳ）
＝ｆ（ｄ）・ＣＨ０・ｆ（ｄ）ＣＳ０／｛ｆ（ｄ）・ＣＨ０＋ｆ（ｄ）・ＣＳ０｝
＝ｆ（ｄ）２・ＣＨ０・ＣＳ０／ｆ（ｄ）・（ＣＨ０＋ＣＳ０）
＝ｆ（ｄ）・ＣＨ０・ＣＳ０／（ＣＨ０＋ＣＳ０）  。
【００９１】
また、
差ΔＣＬ＝ＣＬ・ＣＳ／（ＣＬ＋ＣＳ）
＝ｆ（ｄ）・ＣＬ０・ｆ（ｄ）ＣＳ０／｛ｆ（ｄ）・ＣＬ０＋ｆ（ｄ）・ＣＳ０｝
＝ｆ（ｄ）２・ＣＬ０・ＣＳ０／ｆ（ｄ）・（ＣＬ０＋ＣＳ０）
＝ｆ（ｄ）・ＣＬ０・ＣＳ０／（ＣＬ０＋ＣＳ０）  。
【００９２】
ここで、ＣＬ０＝ＣＬＨ０−ＣＨ０であるので、
（数８）
差ΔＣＬ＝ｆ（ｄ）・（ＣＬＨ０−ＣＨ０）・ＣＳ０
／（ＣＬＨ０−ＣＨ０＋ＣＳ０）  。
【００９３】
そして、数式７、数式８から、差ΔＣＨと差ΔＣＬとの比を求めると、
比＝｛ｆ（ｄ）・ＣＨ０・ＣＳ０／（ＣＨ０＋ＣＳ０）｝
／｛ｆ（ｄ）・（ＣＬＨ０−ＣＨ０）・ＣＳ０／（ＣＬＨ０−ＣＨ０＋ＣＳ０）｝
＝｛ＣＨ０・ＣＳ０・（ＣＬＨ０−ＣＨ０＋ＣＳ０）｝
／｛（ＣＨ０＋ＣＳ０）・（ＣＬＨ０−ＣＨ０）｝
となり、実際に静電容量検出器１７０によって把握した差ΔＣＨ、ΔＣＬの比と、既知であるＣＳ０、ＣＬＨ０とからＣＨ０を求めることができる。更に、ＣＨ０＋ＣＬ０＝既知のＣＨＬ０の関係からＣＬ０も求めることができる。
【００９４】
そして、数式７にＣＨ０、ＣＳ０を代入することで、ｆ（ｄ）を求めることができる。
【００９５】
ｆ（ｄ）については、
ｆ（ｄ）＝ａ／（ｂ＋ｄ）
ａ、ｂ＝固定値、ｄ＝距離、として表すことができる。
【００９６】
よって上記より、ｆ（ｄ）の値が分かれば、距離ｄを求めることができる。
【００９７】
このように、本実施形態においても、上記第１実施形態と同様に、それぞれの差ΔＣＨ、ΔＣＬを用いて、容易に可動電極１２０の位置を検出することが可能となる。
【００９８】
加えて、接続線１５０は、専用固定電極１４３に接続され、可動電極１２０には接続されない形とすることができるので、プリント基板１３０における固定電極１４１、１４２と専用固定電極１４３、およびスイッチ部１６０を密閉構造内に集約することが可能となる。
【００９９】
（その他の実施形態）
上記各実施形態では、操作部１１０（可動電極１２０）は、左右方向に直線的に移動され、また、固定電極１４１、１４２は、可動電極１２０の移動方向に沿って直線的に延びるように設定されたスライド式のものとした。これに対して、操作部１１０が回転操作され、これに伴って、可動電極１２０が回転方向の動きをする回転式の場合には、図８に示すように、固定電極１４１、１４２の長手方向の辺が一面上で円形状を成すような固定電極１４１Ａ、１４２Ａとして対応することができる。
【０１００】
また、上記のように、操作部１１０が回転式のものにおいては、図９に示すように、周方向（回転方向）に対して、固定電極１４１Ｂ、１４２Ｂの組み合わせを、複数組設けるようにしても良い。これにより、位置検出の分解能を上げることができる。
【０１０１】
また、上記各実施形態に対して、スイッチ部１６０の構造については、図１０に示すように、位置検出装置１１Ｂにおいて、並列配置されるコンデンサ１６４、１６５と、一方のコンデンサ１６４側を開閉するスイッチ１６３とを備えるスイッチ部１６０Ｂとしても良い（第３実施形態）。スイッチ１６３を閉じることにより、可動電極１２０のグランドに対する接地状態が形成され、スイッチ１６３を開くことにより、可動電極１２０の浮遊状態が形成される。
【０１０２】
また、スイッチ部１６０の構造については、図１１に示すように、位置検出装置１１Ｃにおいて、接続線１５０を単純に開閉するスイッチ１６６を備えるスイッチ部１６０Ｃとしても良い（第３実施形態）。スイッチ１６６を閉じることにより、可動電極１２０のグランドに対する接地状態が形成され、スイッチ１６６を開くことにより、可動電極１２０の浮遊状態が形成される。
【０１０３】
また、上記各実施形態では、位置検出装置を、空調装置用の操作パネル１０における風量設定スイッチ１１に適用したものとして説明したが、これに限らず、各種入力を行う入力部への適用が可能である。
【符号の説明】
【０１０４】
１１    風量設定スイッチ（位置検出装置）
１１０  操作部
１２０  可動電極
１３０  プリント基板（所定部位）
１４１  固定電極（複数の固定電極）
１４２  固定電極（複数の固定電極）
１４３  専用固定電極
１６０  スイッチ部
１６１  ダイオード（スイッチ部）
１７０  静電容量検出器
１７５  制御部
【図１】
2015055572.tif 000003
【図２】
2015055572.tif 000004
【図３】
2015055572.tif 000005
【図４】
2015055572.tif 000006
【図５】
2015055572.tif 000007
【図６】
2015055572.tif 000008
【図７】
2015055572.tif 000009
【図８】
2015055572.tif 000010
【図９】
2015055572.tif 000011
【図１０】
2015055572.tif 000012
【図１１】
2015055572.tif 000013